(57)【特許請求の範囲】
【請求項１】
什器に設けられた取付面に対してパネル体を取り付けるためのパネル体支持部材であって、
前記取付面に固定される固定部、および前記固定部から互いに平行に延びる一対の側壁部を有し、前記パネル体の端部が一対の前記側壁部の間に挿入される支持部材本体と、
一対の前記側壁部の間において、前記パネル体の前記端部の両面に沿うよう配置された一対の板状のサポート部材と、
前記側壁部に保持され、先端部で前記サポート部材を前記パネル体側に押圧するネジ部材と、
を備えることを特徴とするパネル体支持部材。
【請求項２】
前記側壁部に保持され、前記ネジ部材が螺合するネジ孔を有した補助部材をさらに備えるとともに、
前記側壁部に、前記サポート部材に対向する位置に貫通孔が形成され、
前記ネジ孔に螺合した前記ネジ部材の前記先端部が、前記貫通孔を通して前記サポート部材に突き当てられていることを特徴とする請求項１に記載のパネル体支持部材。
【請求項３】
前記ネジ部材は、一対の前記側壁部の双方に設けられている
ことを特徴とする請求項１または２に記載のパネル体支持部材。
【請求項４】
一対の前記側壁部に、前記サポート部材が、前記固定部側から離間する方向に移動するのを規制する移動規制部が形成されていることを特徴とする請求項１から３のいずれか一項に記載のパネル体支持部材。
【請求項５】
上面が作業面とされた天板と、
前記天板を支持する脚部と、
前記作業面から前記天板の下方に向かって凹入するよう形成された凹部と、
前記凹部内に設けられた請求項１から４のいずれか一項に記載のパネル体支持部材と、
前記パネル体支持部材に着脱可能とされたパネル体と、
を備えることを特徴とする天板付什器。
【発明の詳細な説明】
【技術分野】
【０００１】
本発明は、パネル体支持部材、天板付什器に関する。
【背景技術】
【０００２】
オフィス等においては、デスク装置の天板上や、空間を仕切るパーティション上等に、パネル体を着脱可能に設け、必要に応じて室内空間をパネル体で仕切ることが行われている。
【０００３】
特許文献１、２には、デスク装置の天板やパーティション等の上端部に溝を形成し、この溝にパネル体の下端部を挿入して固定する構成が開示されている。この構成においては、溝内に、パネル体の一方の側と他方の側に一対の固定部材を設け、これらの固定部材でパネル体の下端部を挟み込むことで、パネル体を支持している。
【先行技術文献】
【特許文献】
【０００４】
【特許文献１】特許第３５６１４８６号公報
【特許文献２】特許第５３２９８９７号公報
【発明の概要】
【発明が解決しようとする課題】
【０００５】
しかしながら、特許文献１に開示された構成では、一対の固定部材でパネル体の下端部を挟み込むため、パネル体を貫通するボルトを用いている。このため、パネル体にボルト挿通孔を形成しなければならず、加工の手間およびコストが掛かる。また、ボルト挿通孔を形成すると、パネル体に大きな外力が作用した場合に、ボルト挿通孔に挿通されたボルトによって、パネル体がボルト挿通孔を起点として損傷してしまうこともある。
【０００６】
また、特許文献２に開示された構成では、固定部材をボルトで移動させる方向と、固定部材をパネル体に押圧する方向とが異なっているため、固定部材に傾斜面を形成する必要がある等、構造が複雑である。さらに、このような複雑な構造であるがゆえ、固定部材による固定力（押圧力）を確実に作用させるには、ボルトを工具で回さなければならず、作業に手間が係る。
そこでなされた本発明の目的は、パネル体を、簡易な構成でありながら、強固かつ容易に装着することのできるパネル体支持部材、天板付什器を提供することである。
【課題を解決するための手段】
【０００７】
本発明は、上記課題を解決するため、以下の手段を採用する。
この発明に係るパネル体支持部材は、什器に設けられた取付面に対してパネル体を取り付けるためのパネル体支持部材であって、前記取付面に固定される固定部、および前記固定部から互いに平行に延びる一対の側壁部を有し、前記パネル体の端部が一対の前記側壁部の間に挿入される支持部材本体と、一対の前記側壁部の間において、前記パネル体の端部の両面に沿うよう配置された一対の板状のサポート部材と、前記側壁部に保持され、先端部で前記サポート部材を前記パネル体側に押圧するネジ部材と、を備えることを特徴とする。
【０００８】
このようなパネル体支持部材は、支持部材本体の一対の側壁部間に、一対のサポート部材が設けられている。パネル体は、一対のサポート部材間に端部が挿入されて保持される。支持部材本体の側壁部に保持されたネジ部材の先端部により、サポート部材をパネル体側に押圧する。これにより、一対の板状のサポート部材によって、パネル体の端部を挟持することができる。したがって、パネル体の端部にボルト挿通孔を形成する必要も無く、パネル体の端部を固定することができる。また、板状のサポート部材でパネル体を挟持するので、ネジ部材を回してサポート部材をパネル体に押し付ければ、パネル体を強固に保持することができる。
さらに、このような構成は、板状のサポート部材とネジ部材とを備えるのみでよく、簡易である。
【０００９】
また、この発明に係るパネル体支持部材は、上記パネル体支持部材において、前記側壁部に保持され、前記ネジ部材が螺合するネジ孔を有した補助部材をさらに備えるとともに、前記側壁部に、前記サポート部材に対向する位置に貫通孔が形成され、前記ネジ孔に螺合した前記ネジ部材の前記先端部が、前記貫通孔を通して前記サポート部材に突き当てられているようにしてもよい。
このように、補助部材のネジ孔にネジ部材を螺合させ、その先端部を、貫通孔を通してサポート部材に突き当てることで、ネジ部材を締め込めばサポート部材を容易かつ確実に押圧することができる。
また、補助部材にネジ孔を形成することで、支持部材本体の側壁部には貫通孔を形成すればよい。支持部材本体の側壁部に複数のネジ孔を直接形成する場合、ネジ孔の加工の手間がかかる。これに対し、パネル体を装着する場合に、ネジ孔を有した補助部材を用いるようにすれば、支持部材本体の側壁部には貫通孔のみ形成すればよく、加工の手間を抑えることができる。
【００１０】
また、この発明に係るパネル体支持部材は、上記パネル体支持部材において、前記ネジ部材は、一対の前記側壁部の双方に設けられているようにしてもよい。
このように構成することで、パネル体を両面のサポート部材によって強固に保持することができ、パネル体を、より安定的に保持することができる。
【００１１】
また、この発明に係るパネル体支持部材は、上記パネル体支持部材において、一対の前記側壁部に、前記サポート部材が、前記固定部側から離間する方向に移動するのを規制する移動規制部が形成されているようにしてもよい。
このように構成することで、サポート部材が、支持部材本体の一対の側壁部間から抜け出るのを防ぐことができる。したがって、パネル体を固定する作業中においては、不用意にサポート部材が抜け出るのを防ぐことで、作業性を高めることができる。また、パネル体を固定した後においては、一対のサポート部材で挟持したパネル体が、支持部材本体の一対の側壁部間から抜け出るのを防ぐことができる。
【００１２】
また、この発明に係る天板付什器は、上面が作業面とされた天板と、前記天板を支持する脚部と、前記作業面から前記天板の下方に向かって凹入するよう形成された凹部と、前記凹部内に設けられた上記したようなパネル体支持部材と、前記パネル体支持部材に着脱可能とされたパネル体と、を備えることを特徴とする。
【００１３】
このように構成することで、ネジ部材によってパネル体側に押圧される一対の板状のサポート部材によって、パネル体の端部を挟持することができる。したがって、パネル体の端部にボルト挿通孔を形成する必要も無く、パネル体の端部を固定することができる。また、板状のサポート部材でパネル体を挟持するので、ネジ部材を回してサポート部材をパネル体に押し付ければ、パネル体を強固に保持することができる。
【発明の効果】
【００１４】
この発明に係るパネル体支持部材、天板付什器によれば、パネル体を、簡易な構成でありながら、強固かつ容易に装着することが可能となる。
【図面の簡単な説明】
【００１５】
【図１】この発明の実施形態に係るテーブルの全体構成を示す平面図である。
【図２】上記テーブルの側面図である。
【図３】上記テーブルに設けたパネル体支持部材を示す側断面図である。
【図４】パネル体支持部材の拡大断面図である。
【図５】上記パネル体を固定する固定部材のパネル体支持部材への装着状態を示す図である。
【図６】この発明の実施形態に係るパネル体支持部材および天板付什器の変形例を示す側断面図である。
【発明を実施するための形態】
【００１６】
以下、添付図面を参照して、本発明によるパネル体支持部材、天板付什器を実施するための形態を説明する。しかし、本発明はこれらの実施形態のみに限定されるものではない。
【００１７】
図１は、この発明の実施形態に係るテーブルの全体構成を示す平面図である。図２は、上記テーブルの側面図である。図３は、上記テーブルに設けたパネル体支持部材を示す側断面図である。図４は、パネル体支持部材の拡大断面図である。
図１、図２に示すように、テーブル（什器、天板付什器）１０は、床面Ｆ（図２参照）上に起立する複数の脚（脚部）２０と、これら複数の脚２０上に支持される天板３０と、を備えている。
【００１８】
この実施形態のテーブル１０において、天板３０は、例えば平面視長方形状で、その上面（作業面）３０ｆに沿った第一の方向Ｘに短く、上面３０ｆに沿った面内で第一の方向Ｘに直交する第二の方向Ｙに長く形成されている。天板３０は、平面視長方形状に限らず、長円形、楕円形等の平面視形状としてもよい。
【００１９】
脚２０は、天板３０において長手方向である第二の方向Ｙの一端側と他端側とに、それぞれ設けられている。各脚２０は、短手方向である第一の方向Ｘの両端部にそれぞれ設けられた脚部材２１、２１と、これら脚部材２１、２１の上部同士を連結する上部連結部材２２と、を備えている。
【００２０】
図２に示すように、第一の方向Ｘの両端部に位置する脚部材２１，２１は、第二の方向Ｙから見たときの第一の方向Ｘに沿った間隔が、上方から下方に向けて漸次増大するよう形成されている。
【００２１】
図１、図２に示すように、第二の方向Ｙにおいて互いに隣接する脚２０，２０の上部連結部材２２，２２の間には、第二の方向Ｙに沿って延びる二本一対のビーム４０，４０が設けられている。これらビーム４０，４０は、第一の方向Ｘにおける上部連結部材２２の長さ方向中間部に、第一の方向Ｘに間隔をあけて設けられている。
各ビーム４０は、その両端部が、ブラケット等を用いたボルト締結、溶接等の接合手段によって上部連結部材２２に接合されている。
【００２２】
また、図１に示すように、ビーム４０，４０に対し、第一の方向Ｘに沿った一方の側と他方の側に、それぞれサイドビーム４１が設けられている。各サイドビーム４１は、ブラケット等を用いたボルト締結、溶接等の接合手段によって上部連結部材２２に接合されている。
サイドビーム４１とビーム４０との間には、第一の方向Ｘに沿って延びる連結ビーム４２が接合されている。
【００２３】
天板３０は、第一の方向Ｘの一方の側と他方の側に、それぞれ設けられている。各天板３０は、上部連結部材２２、ビーム４０、サイドビーム４１、および連結ビーム４２上に支持され、図示しない取付金具によって固定されている。
【００２４】
第一の方向Ｘにおいて互いに対向する天板３０、３０の間には、第二の方向に沿って連続する平面視矩形状の開口部３５が形成されている。この開口部３５は、第一の方向Ｘに沿った両側の縁部３５ａ，３５ａが、ビーム４０，４０よりも、第一の方向Ｘにおいて内側に張り出すよう形成されている。
【００２５】
図３に示すように、ビーム４０，４０の間には、開口部３５の下方に、底部材（取付面）４９が溶接等によりそれぞれ固定されている。底部材４９は、第二の方向Ｙに沿って延びる筒状で、例えば、金属製の板材を中空の板状に折り曲げて構成することができる。底部材４９には、上下方向に貫通する貫通孔（図示無し）が形成されている。
【００２６】
底部材４９と、ビーム４０，４０と、天板３０とに囲まれて、配線挿通部（凹部）５０が構成されている。
配線挿通部５０内には、天板３０上で使用する各種の機器に接続される配線１００が、床面Ｆ（図２参照）側から底部材４９の貫通孔（図示無し）を通して導入される。
【００２７】
配線挿通部５０には、開口部３５の第一の方向Ｘの中央部に対応する位置に設けられたオプション取付部材（パネル体支持部材）Ａと、オプション取付部材Ａに対し、第一の方向Ｘの両側にそれぞれ設けられた配線カバー５１と、が設けられている。
【００２８】
配線カバー５１は、後に詳述するオプション取付部材Ａの内側壁部６３と、開口部３５の縁部３５ａとの間に、開閉可能に設けられている。配線カバー５１は、天板３０の上面３０ｆに連続するよう設けられるカバー本体５２と、カバー本体５２に対し、開口部３５の縁部３５ａ側に設けられたフチ部材５３と、を備えている。
【００２９】
カバー本体５２には、オプション取付部材Ａ側の縁部の下面に、フック部５２ｆが設けられている。
【００３０】
フチ部材５３は、基端部５３ａがカバー本体５２において開口部３５の縁部３５ａ側の端部５２ａに固定され、先端部５３ｂが、開口部３５の縁部３５ａに近接して位置するよう設けられている。このフチ部材５３は、ゴム等の柔軟で弾性変形可能な材料で形成されている。フチ部材５３の下面には、第二の方向Ｙに沿って延びる複数の溝５３ｍが形成され、フチ部材５３が、基端部５３ａに対して先端部５３ｂ側が上下に変位する方向に弾性変形しやすくなっている。
【００３１】
配線カバー５１は、底部材４９上に設けられたカバー支持部材５４により支持されている。カバー支持部材５４は、第一の方向Ｘに沿って延び、底部材４９に固定されたベース５５と、ベース５５からの両端部から上方に延びる腕部５６、５７とを有している。腕部５６の上端部には、第二の方向Ｙに延びる支持軸５６ａが設けられている。この支持軸５６ａが、カバー本体５２のフック部５２ｆに係合され、カバー本体５２が支持軸５６ａを中心として回動自在に支持されている。
【００３２】
配線カバー５１は、腕部５７上にカバー本体５２を載置したときに、カバー本体５２が天板３０の上面３０ｆとほぼ平行に配置され、配線カバー５１が配線挿通部５０の開口部３５の一部を塞ぐ。配線挿通部５０内に収容された配線１００は、配線カバー５１を閉じた状態であっても、フチ部材５３の先端部５３ｂ側を上方に変形させることで、天板３０上に引き出すことができる。
このとき、カバー本体５２において、オプション取付部材Ａ側の端部５２ｂに、オプション取付部材Ａ側に向かって斜め下方に延びるスカート部５２ｓを形成しておくのが好ましい。カバー本体５２の端部５２ｂとオプション取付部材Ａとの隙間には、後述するオプション部材３５０が配置されることがある。オプション部材３５０を装着しないときに、スカート部５２ｓにより、カバー本体５２の端部５２ｂとオプション取付部材Ａとの隙間を目隠しすることができる。
【００３３】
また、配線カバー５１を、支持軸５６ａを中心としてフチ部材５３側を上方に跳ね上げるように回転させることで、配線カバー５１を開くことができる。
このとき、カバー本体５２の端部５２ａに、フチ部材５３の基端部５３ａよりも第一の方向Ｘに沿って開口部３５の縁部３５ａ側に突出するエッジ部５２ｅを形成しておくのが好ましい。これにより、配線カバー５１のエッジ部５２ｅに手指をかけることで、配線カバー５１のフチ部材５３側を容易に上方に跳ね上げることができる。
【００３４】
オプション取付部材Ａは、第二の方向Ｙに連続して延びるよう形成され、配線挿通部５０内に収容されている。オプション取付部材Ａは、取付部材本体（支持部材本体）６０と、パネル固定部２００と、を備えている。
【００３５】
図４に示すように、取付部材本体６０は、底部材４９の上面に沿って設けられる板状の底板部６１と、底板部６１において第一の方向Ｘの両端部からそれぞれ上方に向かって立ち上がる外側壁部６２と、底板部６１において外側壁部６２，６２に対し第一の方向Ｘの内側で、それぞれ上方に向かって立ち上がる内側壁部（側壁部）６３と、を備えている。
【００３６】
各外側壁部６２の上端部には、内側壁部６３側に向かって延びる外側受け部６４が形成されている。
【００３７】
内側壁部６３は、外側壁部６２よりも上方に突出するよう設けられている。
内側壁部６３には、外側受け部６４と同じ高さで、外側壁部６２側に向かって延びる内側受け部６５が形成されている。外側受け部６４と内側受け部６５との間には、第一の方向Ｘに沿って所定寸法の隙間Ｓ３が形成されている。
また、内側受け部６５には、下方に向かって延びるガイド凸部６６が形成されている。
【００３８】
内側壁部６３には、内側受け部６５よりも上方位置に、内側壁部６３の側面６３ｓに対して第一の方向Ｘに凹んだ溝部６７が形成されている。溝部６７の上下側面６７ｓ、６７ｔには、上方、下方に凹む支持溝６７ｍが形成されている。
また、内側壁部６３には、第二の方向Ｙに沿って間隔を空けた複数個所に、内側壁部６３を第一の方向Ｘに貫通する貫通孔６３ｈが形成されている。
【００３９】
内側壁部６３には、第一の方向Ｘにおいて対向する他の内側壁部６３側を向く側面６３ｔの上端部に、対向する他の内側壁部６３から離間する方向に凹む凹部６８が形成されている。
内側壁部６３の上端部（移動規制部）６３ａは、対向する他の内側壁部６３側に向かって延び、互いに対向する内側壁部６３，６３の上端部６３ａ，６３ａは、第一の方向Ｘにおいて所定寸法の隙間Ｓ１を介して対向している。ここで、内側壁部６３，６３の上端部６３ａ，６３ａの隙間Ｓ１は、後述するように、パネル体３００の下端部（端部）３００ｂを内側壁部６３，６３間に挿入した状態で、サポート板（サポート部材）２１０が内側壁部６３，６３から上方に抜けないよう、底板部６１から離間する方向である上方への移動を規制するよう設けられている。すなわち、パネル体３００の下端部３００ｂを内側壁部６３，６３間に挿入した状態で、内側壁部６３，６３の上端部６３ａ，６３ａが、サポート板２１０，２１０の鉛直上方に位置するよう形成されている。
【００４０】
このような取付部材本体６０において、第一の方向Ｘで互いに対向する内側壁部６３，６３の間が、パネル体３００を支持するパネル取付部７１とされている。また、取付部材本体６０において、パネル取付部７１に対して第一の方向Ｘの両側で、内側壁部６３と外側壁部６２との間が、各種のオプション部材３５０を支持するオプション部材取付部７２とされている。
このように構成された取付部材本体６０は、アルミニウムを押出し成形すること等で一体に形成されている。
【００４１】
取付部材本体６０のオプション部材取付部７２には、例えば棚板ユニット等、各種のオプション部材３５０を取り付けることができる。オプション部材３５０は、オプション部材取付部７２に装着する固定プレート３５１を用いて取り付ける。固定プレート３５１は、オプション部材取付部７２の内側壁部６３、外側壁部６２、外側受け部６４、内側受け部６５、底板部６１とに囲まれた空間内に挿入する。このとき、固定プレート３５１は、外側壁部６２とガイド凸部６６とにより、第一の方向Ｘへの移動が規制される。この固定プレート３５１は、外側受け部６４と内側受け部６５との間の隙間Ｓ３に臨む位置に、ネジ孔３５１ｈを有している。
オプション部材３５０は、外側受け部６４と内側受け部６５との上に載置した状態で、隙間Ｓ３を通してネジ孔３５１ｈに固定ボルト３５２を締結させることで取り付けられる。
【００４２】
取付部材本体６０のパネル取付部７１には、板状のパネル体３００を取り付けることができる。パネル体３００は、平板状に形成された部材である。パネル体３００は、ガラス等で形成することができる。
【００４３】
パネル取付部７１には、パネル体３００の下端部（端部）３００ｂを保持するため、前記パネル固定部２００が設けられている。
パネル固定部２００は、パネル取付部７１の内側壁部６３，６３間で、パネル体３００の下端部３００ｂの両面に沿って設けられるサポート板２１０，２１０と、内側壁部６３、６３の溝部６７に装着される固定具２２０と、を備えている。
【００４４】
サポート板２１０は、例えばスチール、ステンレス鋼等からなる金属製の板材からなり、内側壁部６３の側面６３ｔに沿い、底板部６１から内側壁部６３の上端部６３ａの近傍まで延びるよう設けられている。
【００４５】
固定具２２０は、固定プレート（補助部材）２２１と、固定ボルト（ネジ部材）２２２と、を備える。
固定プレート２２１は、内側壁部６３に形成された溝部６７の支持溝６７ｍに挿入される。図５に示すように、固定プレート２２１は、例えば、溝部６７の上下側面６７ｓ、６７ｔの間隔よりも短手方向の幅ｗ１が小さく、かつ溝部６７の上下側面６７ｓ、６７ｔの間隔よりも長手方向の幅ｗ２が大きい、長円形をなしたものとすることができる。固定プレート２２１には、固定ボルト２２２が螺合するネジ孔２２３ａを有したボス２２３が一体に形成されている。
このような固定プレート２２１は、長手方向を第二の方向Ｙに向けた状態（図５中、実線で図示）で、溝部６７の上下側面６７ｓ、６７ｔの間に挿入する。次いで、固定プレート２２１を、長手方向が上下方向を向くよう、溝部６７内で回転させ（図５中、二点鎖線で図示）、長手方向の両端部２２１ａ，２２１ａを支持溝６７ｍ，６７ｍに挿入させる。これにより、固定プレート２２１は、内側壁部６３に支持される。
【００４６】
図４に示すように、固定ボルト２２２は、ボス２２３のネジ孔２２３ａにねじ込まれ、先端部２２２ａが、内側壁部６３に形成された貫通孔６３ｈを通し、サポート板２１０に突き当たる。
このようにしてパネル取付部７１の第一の方向Ｘの両側に装着した固定ボルト２２２，２２２により、パネル体３００の両面に沿って設けられたサポート板２１０，２１０を締め付けることで、パネル体３００の下端部３００ｂを強固に固定する。
【００４７】
ここで、パネル体３００の下端部３００ｂの両面には、パネル体３００の保護、パネル体３００とサポート板２１０とのクリアランス調整等のために、フィルム体３１０を貼着しておいてもよい。
【００４８】
上述したような構成によれば、テーブル１０に設けられた底部材４９に対してパネル体３００を取り付けるためのオプション取付部材Ａは、底部材４９に固定される底板部６１、および底板部６１から互いに平行に延びる一対の内側壁部６３，６３を有し、パネル体３００の下端部３００ｂが一対の内側壁部６３，６３の間に挿入される取付部材本体６０と、一対の内側壁部６３，６３の間において、パネル体３００の下端部３００ｂの両面に沿うよう配置された一対の板状のサポート板２１０，２１０と、内側壁部６３，６３に保持され、先端部２２２ａでサポート板２１０をパネル体３００側に押圧する固定ボルト２２２と、を備える。
【００４９】
このようなオプション取付部材Ａは、取付部材本体６０の一対の内側壁部６３，６３間に、一対のサポート板２１０，２１０が設けられている。パネル体３００は、一対のサポート板２１０，２１０間に下端部３００ｂが挿入されて保持される。内側壁部６３に保持された固定ボルト２２２の先端部２２２ａにより、サポート板２１０をパネル体３００側に押圧する。これにより、一対の板状のサポート板２１０，２１０によって、パネル体３００の下端部３００ｂを挟持することができる。したがって、パネル体３００の下端部３００ｂにボルト挿通孔を形成する必要も無く、パネル体３００の下端部３００ｂを固定することができる。また、板状のサポート板２１０，２１０でパネル体３００を挟持するので、固定ボルト２２２を回してサポート板２１０，２１０をパネル体３００に押し付ければ、パネル体３００を強固に保持することができる。
さらに、このような構成は、板状のサポート板２１０と固定ボルト２２２とを備えるのみでよく、簡易である。したがって、上記オプション取付部材Ａ、テーブル１０によれば、パネル体３００を、簡易な構成でありながら、強固かつ容易に装着することが可能となる。
【００５０】
また、上記オプション取付部材Ａは、内側壁部６３に保持され、固定ボルト２２２が螺合するネジ孔２２３ａを有した固定プレート２２１をさらに備えるとともに、内側壁部６３に、サポート板２１０に対向する位置に貫通孔６３ｈが形成され、ネジ孔２２３ａに螺合した固定ボルト２２２の先端部２２２ａが、貫通孔６３ｈを通してサポート板２１０に突き当てられている。
このように、固定プレート２２１のネジ孔２２３ａに固定ボルト２２２を螺合させ、その先端部２２２ａを、貫通孔６３ｈを通してサポート板２１０に突き当てることで、固定ボルト２２２を締め込めばサポート板２１０を容易かつ確実に押圧することができる。
また、固定プレート２２１にネジ孔２２３ａを形成することで、取付部材本体６０の内側壁部６３には貫通孔６３ｈを形成すればよい。例えば、取付部材本体６０の内側壁部６３に複数のネジ孔を直接形成する場合、ネジ孔の加工に手間がかかる。これに対し、パネル体３００を装着する場合に、ネジ孔２２３ａを有した固定プレート２２１を用いるようにすれば、取付部材本体６０の内側壁部６３には貫通孔６３ｈのみ形成すればよく、加工の手間を抑えることができる。
【００５１】
また、上記オプション取付部材Ａにおいて、固定ボルト２２２は、一対の内側壁部６３，６３の双方に設けられている。このように構成することで、パネル体３００を両面のサポート板２１０，２１０によって強固に保持することができ、パネル体３００を、より安定的に保持することができる。
【００５２】
また、上記オプション取付部材Ａにおいて、一対の内側壁部６３，６３の上端部６３ａ，６３ａが、底板部６１側から離間する方向にサポート板２１０，２１０が移動するのを規制する。このように構成することで、サポート板２１０，２１０が、取付部材本体６０の一対の内側壁部６３，６３間から抜け出るのを防ぐことができる。したがって、パネル体３００を固定する作業中においては、不用意にサポート板２１０，２１０が抜け出るのを防ぐことで、作業性を高めることができる。また、パネル体３００を固定した後においては、一対のサポート板２１０，２１０で挟持したパネル体３００が、取付部材本体６０の一対の内側壁部６３，６３間から抜け出るのを防ぐことができる。
【００５３】
また、上述したようなテーブル１０は、上面３０ｆが作業面とされた天板３０と、天板３０を支持する脚２０と、作業面である上面３０ｆから天板３０の下方に向かって凹入するよう形成された配線挿通部５０と、配線挿通部５０内に設けられたオプション取付部材Ａと、オプション取付部材Ａに着脱可能とされたパネル体３００と、を備える。
このように構成することで、一対の板状のサポート板２１０によって、パネル体３００の下端部３００ｂを挟持することができる。したがって、パネル体３００の下端部３００ｂにボルト挿通孔を形成する必要も無く、パネル体３００の下端部３００ｂを固定することができる。また、板状のサポート板２１０でパネル体３００を挟持するので、固定ボルト２２２を回してサポート板２１０をパネル体３００に押し付ければ、パネル体３００を強固に保持することができる。
【００５４】
（変形例）
なお、上記実施形態では、テーブル１０を、第一の方向Ｘの両側に天板３０，３０を備える対面利用式とし、オプション取付部材Ａを、第一の方向Ｘの両側に位置する天板３０，３０の間に設けるようにしたが、これに限らない。
図６は、上記実施形態の変形例を示す図である。
この図６に示すように、天板３０の一方の側に利用者が位置して利用する片面使用式のテーブル（什器、天板付什器）１０’の場合、天板３０の他方の端部３０ｂにオプション取付部材（パネル体支持部材）Ａ’を設けてもよい。このオプション取付部材Ａ’は、上記実施形態で示したオプション取付部材Ａにおいて、一方のオプション部材取付部７２を省略したものである。さらに、天板３０の外周側を向くサポート板（サポート部材）２１０Ａは、固定プレート２２１および固定ボルト２２２によってパネル体３００側に押圧される構成を省略している。
【００５５】
このような構成においては、天板３０側のサポート板（サポート部材）２１０Ｂを、固定プレート２２１および固定ボルト２２２によってパネル体３００側に押圧すると、サポート板２１０Ａは、内側壁部６３によってサポート板２１０Ｂから離間する方向への移動が規制されるので、これらサポート板２１０Ａおよび２１０Ｂによって、パネル体３００を強固に挟持することができる。
【００５６】
また、このオプション取付部材Ａ’は、取付部材本体６０に下方に向かって突出する突出部６９を設け、この突出部６９を、天板３０の下方に設けられた幕板２９上に支持させるようにしている。
【００５７】
（その他の実施形態）
なお、本発明のパネル体支持部材、天板付什器は、図面を参照して説明した上述の各実施形態に限定されるものではなく、その技術的範囲において様々な変形例が考えられる。
例えば、上記実施形態では、固定ボルト２２２を螺合させるネジ孔２２３ａを、内側壁部６３の支持溝６７ｍで支持した固定プレート２２１に形成したが、内側壁部６３にネジ孔を直接形成するようにしてもよい。
また、オプション取付部材Ａは、パネル取付部７１の他に、オプション部材取付部７２を備えるようにしたが、パネル取付部７１のみを備えるようにしてもよい。
【００５８】
また、取付部材本体６０等の具体的な形状等の構成は、所要の機能を果たすことができるのであれば、適宜変更可能である。
【００５９】
さらに、オプション取付部材Ａを、配線挿通部５０内に設けるようにしたが、これを天板３０上等、他の取付面に設けてもよい。
【００６０】
また、上記実施形態では、テーブル１０を例に挙げたが、他に、デスク装置、カウンター等、他の天板付什器においても、本発明を同様に適用することが可能である。
これ以外にも、本発明の主旨を逸脱しない限り、上記実施の形態で挙げた構成を取捨選択したり、他の構成に適宜変更したりすることが可能である。
【符号の説明】
【００６１】
１０、１０’  テーブル（什器、天板付什器）
２０  脚（脚部）
３０  天板
３０ｆ  上面（作業面）
４９  底部材（取付面）
５０  配線挿通部（凹部）
６０  取付部材本体（支持部材本体）
６１  底板部（固定部）
６３  内側壁部（側壁部）
６３ａ  上端部（移動規制部）
６３ｈ  貫通孔
２１０、２１０Ａ、２１０Ｂ  サポート板（サポート部材）
２２１  固定プレート（補助部材）
２２２  固定ボルト（ネジ部材）
２２２ａ  先端部
２２３ａ  ネジ孔
３００  パネル体
３００ｂ  下端部（端部）
Ａ、Ａ’  オプション取付部材（パネル体支持部材）
Ｆ  床面
【図１】
0006552104.tif 000002
【図２】
0006552104.tif 000003
【図３】
0006552104.tif 000004
【図４】
0006552104.tif 000005
【図５】
0006552104.tif 000006
【図６】
0006552104.tif 000007